(57)【要約】【課題】給湯運転で湯張り運転が中断されないようにした給湯装置を提供する。【解決手段】給湯用の第１熱交換器３１の下流側の給湯路６から分岐した湯張り路９に、第１熱交換器３１の上流側の給水路５から分岐させた分岐給水路５４を介して供給される水を給湯路６から湯張り路９に供給される温水に混合させる湯水混合弁９４を介設する。そして、給湯運転と同時に湯張り運転を実行可能とし、この湯張り運転では、給湯路６から湯張り路９に供給される給湯設定温度の温水に湯水混合弁９４で水を混合し、この水混合温水を追い焚き用の第２熱交換器３２で加熱することにより風呂設定温度の温水を浴槽７に供給する。【選択図】図１
2018071814.tif 000002
【特許請求の範囲】
【請求項１】
給湯用の第１バーナ及び第１バーナを熱源とする給湯用の第１熱交換器と、追い焚き用の第２バーナ及び第２バーナを熱源とする追い焚き用の第２熱交換器と、第２熱交換器で加熱された水を浴槽に送る往路と浴槽内の水を第２熱交換器に戻す復路とで構成される追い焚き循環路と、追い焚き循環路の復路に接続される、第１熱交換器の下流側の給湯路から分岐した湯張り路と、湯張り路に介設した湯張り弁とを備え、
第１熱交換器での加熱により得られる所定の給湯設定温度の温水を給湯路の下流端の給湯端末に供給する給湯運転と、浴槽内の水を追い焚き循環路に循環させつつ第２熱交換器で所定の風呂設定温度に加熱する追い焚き運転と、第１熱交換器での加熱により得られる温水を湯張り弁の開弁で湯張り路と追い焚き循環路とを介して浴槽に供給する湯張り運転とを実行可能とした給湯装置において、
湯張り路に、第１熱交換器の上流側の給水路から分岐させた分岐給水路を介して供給される水を給湯路から湯張り路に供給される温水に混合させる湯水混合弁が介設され、
給湯運転と同時に湯張り運転を実行可能とし、この湯張り運転では、給湯路から湯張り路に供給される給湯設定温度の温水に湯水混合弁で水を混合し、この水混合温水を第２熱交換器で加熱することにより風呂設定温度の温水を浴槽に供給することを特徴とする給湯装置。
【請求項２】
給湯運転と同時ではない通常の湯張り運転でも、給湯路から湯張り路に供給される、第１熱交換器での加熱により得られる所定温度の温水に湯水混合弁で水を混合し、この水混合温水を第２熱交換器で加熱することにより風呂設定温度の温水を浴槽に供給することを特徴とする請求項１記載の給湯装置。
【発明の詳細な説明】
【技術分野】
【０００１】
本発明は、給湯用の第１バーナ及び第１バーナを熱源とする給湯用の第１熱交換器と、追い焚き用の第２バーナ及び第２バーナを熱源とする追い焚き用の第２熱交換器と、第２熱交換器で加熱された水を浴槽に送る往路と浴槽内の水を第２熱交換器に戻す復路とで構成される追い焚き循環路と、追い焚き循環路の復路に接続される、第１熱交換器の下流側の給湯路から分岐した湯張り路と、湯張り路に介設した湯張り弁とを備える給湯装置に関する。
【背景技術】
【０００２】
従来、この種の給湯装置においては、第１熱交換器での加熱により得られる所定の給湯設定温度の温水を給湯路の下流端の給湯端末に供給する給湯運転と、浴槽内の水を追い焚き循環路に循環させつつ第２熱交換器で所定の風呂設定温度に加熱する追い焚き運転と、第１熱交換器での加熱により得られる風呂設定温度の温水を湯張り弁の開弁で湯張り路と追い焚き循環路とを介して浴槽に供給する湯張り運転とを実行可能としている。また、湯張り運転中に給湯運転を行う場合は、湯張り弁を閉弁して湯張り運転を中断している（例えば、特許文献１参照）。
【０００３】
然し、このように給湯運転が優先されると、リモコンでもうじき湯張りが完了することを報知された使用者が入浴の準備をしても、その後の給湯運転による湯張り運転の中断で湯張り完了までに時間がかかってしまい、使用者に不快感を与えてしまうことがある。
【先行技術文献】
【特許文献】
【０００４】
【特許文献１】特開２０１１−９９６３９号公報（段落００５３）
【発明の概要】
【発明が解決しようとする課題】
【０００５】
本発明は、以上の点に鑑み、給湯運転で湯張り運転が中断されないようにした給湯装置を提供することをその課題としている。
【課題を解決するための手段】
【０００６】
上記課題を解決するために、本発明は、給湯用の第１バーナ及び第１バーナを熱源とする給湯用の第１熱交換器と、追い焚き用の第２バーナ及び第２バーナを熱源とする追い焚き用の第２熱交換器と、第２熱交換器で加熱された水を浴槽に送る往路と浴槽内の水を第２熱交換器に戻す復路とで構成される追い焚き循環路と、追い焚き循環路の復路に接続される、第１熱交換器の下流側の給湯路から分岐した湯張り路と、湯張り路に介設した湯張り弁とを備え、第１熱交換器での加熱により得られる所定の給湯設定温度の温水を給湯路の下流端の給湯端末に供給する給湯運転と、浴槽内の水を追い焚き循環路に循環させつつ第２熱交換器で所定の風呂設定温度に加熱する追い焚き運転と、第１熱交換器での加熱により得られる温水を湯張り弁の開弁で湯張り路と追い焚き循環路とを介して浴槽に供給する湯張り運転とを実行可能とした給湯装置において、湯張り路に、第１熱交換器の上流側の給水路から分岐させた分岐給水路を介して供給される水を給湯路から湯張り路に供給される温水に混合させる湯水混合弁が介設され、給湯運転と同時に湯張り運転を実行可能とし、この湯張り運転では、給湯路から湯張り路に供給される給湯設定温度の温水に湯水混合弁で水を混合し、この水混合温水を第２熱交換器で加熱することにより風呂設定温度の温水を浴槽に供給することを特徴とする。
【０００７】
本発明によれば、湯張り運転中に給湯運転が行われても、湯張り運転は中断されず、しかも、給湯端末への温水供給で湯張り路への温水供給量が減少しても、この減少分は湯水混合弁で混合する水により補われるため、湯張り完了が遅れて使用者に不快感を与えるといった不具合を生じない。
【０００８】
また、本発明においては、給湯運転と同時ではない通常の湯張り運転でも、湯張りに要する時間を短縮するために、給湯路から湯張り路に供給される、第１熱交換器での加熱により得られる所定温度の温水に湯水混合弁で水を混合し、この水混合温水を第２熱交換器で加熱することにより風呂設定温度の温水を浴槽に供給することが望ましい。
【図面の簡単な説明】
【０００９】
【図１】本発明の実施形態の給湯装置の構造を示す説明図。
【発明を実施するための形態】
【００１０】
図１を参照して、本発明の実施形態の給湯装置は、缶体１を備えている。缶体１内の下部には、給湯用の第１バーナ２１と追い焚き用の第２バーナ２２とが並設され、缶体１内の上部には、第１バーナ２１を熱源とする給湯用の第１熱交換器３１と、第２バーナ２２を熱源とする追い焚き用の第２熱交換器３２とが並設されている。缶体１の下面には、第１と第２の両バーナ２１，２２に燃焼用空気を供給する燃焼ファン４が接続されている。また、缶体１内には、その内部空間を第１バーナ２１及び第１熱交換器３１が配置された空間と第２バーナ２２及び第２熱交換器３２が配置された空間とに仕切る仕切り壁１１が設けられている。更に、缶体１の上端近傍には排気口１２が開設されている。
【００１１】
第１と第２の両バーナ２１，２２に対するガス供給路２０には、元弁２１と、比例弁２２とが介設され、更に、比例弁２２の下流側で分岐した第１バーナ２１用の分岐路と第２バーナ２２用の分岐路に夫々開閉弁２３１，２３２が介設されている。
【００１２】
第１熱交換器３１には、上流側の給水路５と下流側の給湯路６とが接続されている。給水路５には、第１水量センサ５１と水量調節弁５２とが介設されている。また、水量調節弁５２の下流側で、給水路５と給湯路６とを第１熱交換器３１と並列に接続するバイパス路５３を設けている。給湯路６には、下流端に給湯端末たる出湯栓６１が接続され、また、バイパス路５３の接続部よりも下流側の給湯路６の部分に給湯サーミスタ６２が取付けられている。そして、出湯栓６１を開栓したときに、第１水量センサ５１の検出水量が所定の下限値以上になったところで第１バーナ２１に点火し、以後、給湯サーミスタ６２の検出水温が図外のリモコンで設定される所定の給湯設定温度になるように比例弁２２で第１バーナ２１の燃焼量を調節して、第１熱交換器３１での加熱により得られる給湯設定温度の温水を出湯栓６１に供給する給湯運転を実行する。尚、第１熱交換器３１で加熱された温水の温度は給湯設定温度より高くなるが、この温水にバイパス路５３からの水を混合させることで給湯設定温度の温水が得られる。また、第１バーナ２１の燃焼量を最大にしても給湯サーミスタ６２の検出水温が給湯設定温度に達しない場合は、当該検出水温が給湯設定温度に達するまで水量調節弁５２により水量を減少させる。
【００１３】
第２熱交換器３２は追い焚き循環路８を介して浴槽７に接続されている。追い焚き循環路８は、第２熱交換器３２で加熱された水を浴槽７に送る往路８ａと、浴槽７内の水を第２熱交換器３２に戻す復路８ｂとで構成される。復路８ｂには、循環ポンプ８１が介設されると共に、復路サーミスタ８２が取付けられ、往路８ａには、往路サーミスタ８３が取付けられている。そして、リモコンに設けられた追い焚きスイッチをオンしたときに、浴槽７内の水を循環ポンプ８１の作動により追い焚き循環路８に循環させつつ第２熱交換器３２で加熱する追い焚き運転を実行する。追い焚き運転時には、往路サーミスタ８３の検出水温がリモコンで設定される所定の風呂設定温度になるように第２バーナ２２の燃焼量を調節し、復路サーミスタ８２の検出水温が風呂設定温度に安定したところで風呂追い焚き運転を終了する。
【００１４】
給湯装置は、更に、バイパス路５３の接続部より下流側の給湯路６の部分から分岐して、追い焚き循環路８の復路８ｂに接続される湯張り路９を備えている。湯張り路９には、湯張り弁９１と、逆止弁９２と第２水量センサ９３とが介設されている。そして、リモコンに設けられた湯張りスイッチをオンしたときに、湯張り弁９１を開弁させ、第１バーナ２１に点火して、第１熱交換器３１での加熱により得られる温水を湯張り路９と追い焚き循環路８とを介して浴槽７に供給する湯張り運転を実行する。湯張り運転時には、第２水量センサ９３の検出水量を積算して浴槽７への供給湯量を求め、この供給湯量がリモコンで設定される所定の設定湯張り量に達したときに湯張り運転を終了する。
【００１５】
ところで、従来、湯張り運転は、第１熱交換器３１での加熱により風呂設定温度の温水を得て、この温水を湯張り路９と追い焚き循環路８を介して浴槽７に供給することにより行う。このような湯張り運転時に、出湯栓６１が開栓された場合は、第１熱交換器３１での加熱により給湯設定温度の温水を得て、この温水を出湯栓６１に供給する給湯運転を行う。この場合、第１熱交換器３１での加熱により風呂設定温度の温水を得ることはできなくなり、給湯運転と上述した湯張り運転とを同時に実行することはできなくなる。従って、このままでは、湯張り運転中に給湯運転が開始された場合に、湯張り弁９１を閉弁して湯張り運転を中断し、或いは、給湯運転中に湯張りスイッチをオンした場合に、給湯運転の終了まで湯張り運転の開始を遅らせざるを得なくなる。
【００１６】
そこで、本実施形態では、湯張り路９に、給水路５から分岐させた分岐給水路５４を介して供給される水を給湯路６から湯張り路９に供給される温水に混合させる湯水混合弁９４を介設している。そして、給湯運転と同時に湯張り運転を実行可能としている。この湯張り運転では、給湯路６から湯張り路９に供給される給湯設定温度の温水に湯水混合弁９４で水を混合し、この水混合温水を第２熱交換器３２で加熱することにより風呂設定温度の温水を浴槽７に供給する。これによれば、湯張り運転中に給湯運転が行われても、或いは、給湯運転中に湯張りスイッチをオンしても、湯張り運転を中断したり、或いは、湯張り運転の開始を遅らせる必要がなく、しかも、出湯栓６１への温水供給で湯張り路９への温水供給量が減少しても、この減少分は湯水混合弁９４で混合する水により補われるため、湯張り完了が遅れて使用者に不快感を与えるといった不具合を生じない。
【００１７】
尚、「風呂設定温度の温水を浴槽７に供給する」とは、第２熱交換器３２で加熱された比較的高温の温水を浴槽７に供給すると共に、第２熱交換器３２を経由せずに復路８ｂを介して比較的低温の温水を浴槽に供給することにより、両温水が浴槽７内で混合して風呂設定温度の温水になることを意味する。
【００１８】
給湯運転と同時ではない通常の湯張り運転時には、従来と同様に、第１熱交換器３１での加熱により風呂設定温度の温水を得て、この温水を浴槽７に供給してもよい。然し、本実施形態では、通常の湯張り運転でも、給湯路６から湯張り路９に供給される、第１熱交換器３１での加熱により得られる所定温度の温水に湯水混合弁９４で水を混合し、この水混合温水を第２熱交換器３２で加熱することにより風呂設定温度の温水を浴槽７に供給している。これによれば、第１と第２の両熱交換器３１，３２での加熱による給湯能力の増加と、湯水混合弁９４での水の混合による浴槽７への温水供給量の増加とで、湯張りに要する時間を短縮することができる。上記所定温度は、給湯設定温度と風呂設定温度との何れであってもよく、更には、別の設定温度であってもよい。
【００１９】
次に、水混合温水を第２熱交換器３２で加熱することにより風呂設定温度の温水を浴槽７に供給するための制御について説明する。ここで、追い焚き循環路８には、第２熱交換器３２への通水量を検出する第３水量センサ８４が設けられると共に、復路８ｂの湯張り路９接続部と浴槽７との間の部分に位置させて、当該部分に所定の管路抵抗を付与する抵抗付与部材８５が設けられ、湯張り路９を通過した温水のうちの所定割合の温水が第２熱交換器３２を経由して浴槽７に供給されるようにしている。分岐給水路５４には、給水サーミスタ５５が設けられている。また、湯水混合弁９４は、温水に対する水の混合割合を調節できるように構成されている。
【００２０】
湯張り運転時には、先ず、湯張り弁９１を開弁し、第１バーナ２１を燃焼させて、第１熱交換器３１での加熱により得られる給湯設定温度（湯張り給湯同時運転時）又は上記所定温度（湯張り単独運転時）の温水を給湯路６から湯張り路９に供給すると共に、第２バーナ２２を燃焼させる。次に、第３水量センサ８４で検出される第２熱交換器３２への通水量と、往路サーミスタ８３の検出水温と復路サーミスタ８２の検出水温の偏差とから第２熱交換器３２での加熱量、即ち、第２バーナ２２の燃焼量を算出する。そして、第２水量センサ９３の検出水量の水混合温水を算出した第２バーナ２２の燃焼量で加熱したときの水温上昇量を求め、風呂設定温度からこの水温上昇量を減算して目標温水温度を算出する。次に、給湯サーミスタ６２の検出水温と給水サーミスタ５５の検出水温とに基づいて、湯水混合弁９４の下流側の温水温度を目標温水温度にするのに必要な水の混合割合を算出し、この混合割合になるように湯水混合弁９４を制御し、更に、復路サーミスタ８２の検出水温が目標温水温度からずれた場合は、この検出水温が目標温水温度になるように湯水混合弁９４をフィードバック制御する。これにより、風呂設定温度の温水を浴槽７に供給することができる。
【００２１】
以上、本発明の実施形態について図面を参照して説明したが、本発明はこれに限定されない。例えば、上記実施形態では、第１と第２の両バーナ２１，２２の燃焼量を共通の比例弁２２で調節するようにしているが、第１バーナ２１の燃焼量と第２バーナ２２の燃焼量を個別の比例弁で調節することも可能である。この場合は、湯水混合弁９４での水の混合割合を一定とし、第２水量センサ９３の検出水量と復路サーミスタ８２の検出水温とに基づいて第２バーナ２２の燃焼量を調節することにより、風呂設定温度の温水を浴槽７に供給することができる。
【００２２】
また、復路８ｂの湯張り路９接続部と浴槽７との間の部分に、上記実施形態の如く抵抗付与部材８５を介設すると、追い焚き運転時に追い焚き循環路８に流れる水の循環流量が抵抗付与部材８５による管路抵抗の増加で減少して、追い焚き運転時間が長くなってしまう。そのため、抵抗付与部材８５と並列に、追い焚き運転時に開弁される開閉弁を接続してもよい。これによれば、追い焚き運転時に追い焚き循環路８に流れる水の循環流量が減少せず、追い焚き運転時間が長くなることを防止できる。更に、復路８ｂの湯張り路９接続部と浴槽７との間の部分に、抵抗付与部材８５に代えて開閉弁を介設し、この開閉弁を湯張り運転時に閉弁して、湯張り路９からの水混合温水の全量が第２熱交換器３２に流れるようにすることも可能である。
【００２３】
また、湯水混合弁を、給湯路９からの温水の流入通路を開通遮断する機能、即ち、湯張り弁の機能を有するものとして、湯水混合弁と湯張り弁とを一体化することも可能である。
【符号の説明】
【００２４】
２１…第１バーナ、２２…第２バーナ、３１…第１熱交換器、３２…第２熱交換器、５…給水路、５４…分岐給水路、６…給湯路、６１…出湯栓（給湯端末）、７…浴槽、８…追い焚き循環路、８ａ…往路、８ｂ…復路、９…湯張り路、９１…湯張り弁、９４…湯水混合弁。
【図１】
2018071814.tif 000003